(57)【特許請求の範囲】
【請求項１】
キャビネット本体と、前記キャビネット本体の開口部を覆う扉とを備えており、前記扉は鋼板製ベース材を備えており、前記ベース材の下端に、当該ベース材の下端面を覆う把っ手が左右略全長にわたって延びるように配置されており、人が把っ手に手を掛けて前記ベース材の上部を中心に跳ね上げ回動させることで開くようになっており、かつ、前記扉のベース材にはその前面を覆うカバー板が取付けられている構成であって、
前記扉におけるカバー板の左右側端と上端とには前記ベース材を抱き込む抱持片が一体に形成されており、前記カバー板は前記ベース材に上側から嵌め込まれている、
キャビネット。
【請求項２】
前記キャビネット本体の内部は、１段又は複数段の棚板を配置することによって上下複数段の収納エリアに区分されている一方、前記扉は前記各収納エリアに対応した箇所の開口部を覆うように複数枚配置されており、かつ、前記各扉は、収納エリアを塞いだ閉じ状態において側面視後傾姿勢に配置されており、このため各扉は閉じ状態において雑誌類を把っ手で支持して陳列できるようになっており、更に、前記各扉は、上向きに跳ね上げ回動して水平姿勢にするとキャビネット本体の内部に大部分を押し込み格納できるようにヒンジ装置付きスライド手段によってキャビネット本体に取付けられている、
請求項１に記載したキャビネット。
【請求項３】
前記カバー板はカラー鋼板又は化粧波板である、
請求項１又は２に記載したキャビネット。
【発明の詳細な説明】
【技術分野】
【０００１】
本願発明は、跳ね上げ回動式扉を有するキャビネットに関するものである。
【背景技術】
【０００２】
跳ね上げ回動式扉を有するキャビネットは一般にその大部分がスチール板からなっており、扉は水平姿勢まで跳ね上げ回動させるとキャビネット本体の内部に押し込み収納できるようになっている。
【０００３】
また、この種のキャビネットにおいて、扉にマガジンラック機能を持たせることが行われている。すなわち、特許文献１に開示されているように、閉じ状態の扉を側面視で後傾姿勢にすると共に、扉の下端に雑誌類の支持機能を有する把っ手を左右全長にわたって延びるように設けることにより、閉じ状態の扉に雑誌類やカタログ類が陳列可能になっている。この場合、把っ手は扉の前面からはみ出ているので、扉を水平姿勢にしても把っ手はキャビネット本体の内部には収納されずに外側に露出したままである。
【特許文献１】特開２００１−１６１４６４号公報
【発明の開示】
【発明が解決しようとする課題】
【０００４】
キャビネットにおいて扉は人目に触れるものであるため、高い美粧性を保持させねばならない。他方、スチール製の扉においては、例えば補強材を溶接したりブラケット類を溶接したりというように附属部材を溶接することがあるが、溶接するとその跡が表面に表われる。そこで、スチール製扉においてその美粧機能を確保する方法として従来は、扉として組み上げてから塗装を施しているのが一般的である。
【０００５】
他方、鋼板として、カラー化粧層や化粧模様層をメッキや焼付けによって表面に形成したカラー鋼板や、化粧層を有すると共に断面形状が波形になっている波板（鋼板）が市販されており、これらの美粧処理された鋼板を扉に使用できると、塗装の手間を省くことができてキャビネットの製造能率をアップできると言える。しかし、これら化粧済み鋼板は溶接するとその部分の化粧層が変色したり剥げ落ちたりするため、従来のスチールにそのまま置き換えることはできないという問題がある。
【０００６】
本願発明は、このような現状に鑑み成されたものであり、溶接工程を省くことなく扉に化粧済鋼板のような化粧板を使用可能とすることを目的とするものである。
【課題を解決するための手段】
【０００７】
本願発明はキャビネットに関し、このキャビネットは、キャビネット本体と、前記キャビネット本体の開口部を覆う扉とを備えており、前記扉は鋼板製ベース材を備えており、前記ベース材の下端に、当該ベース材の下端面を覆う把っ手が左右略全長にわたって延びるように配置されており、人が把っ手に手を掛けてベース材の上部を中心に跳ね上げ回動させることで開くようになっている、という基本構成になっている。そして、請求項１の発明は、前記基本構成において、前記扉のベース材にはその前面を覆うカバー板が取付けられており、更に、前記扉におけるカバー板の左右側端と上端とには前記ベース材を抱き込む抱持片が一体に形成されており、前記カバー板は前記ベース材に上側から嵌め込まれている。
【０００８】
本願発明はマガジンラック機能を有するキャビネットに好適であり、この点を請求項２の発明として特定している。すなわち請求項１の発明は、請求項１において、前記キャビネット本体の内部は、１段又は複数段の棚板を配置することによって上下複数段の収納エリアに区分されている一方、前記扉は前記各収納エリアに対応した箇所の開口部を覆うように複数枚配置されており、かつ、前記各扉は、収納エリアを塞いだ閉じ状態において側面視後傾姿勢に配置されており、このため各扉は閉じ状態において雑誌類を把っ手で支持して陳列できるようになっており、更に、前記各扉は、上向きに跳ね上げ回動して水平姿勢にするとキャビネット本体の内部に大部分を押し込み格納できるようにヒンジ装置付きスライド手段によってキャビネット本体に取付けられている。
【０００９】
本願発明のカバー板は美粧機能を備えておれば素材には限定はなく、例えば樹脂製部材を採用することも可能であるが、高い美粧性・耐久性・経済性・加工性といった様々の条件を考慮すると、請求項３に記載したようにカラー鋼板又は化粧波板が好適である。
【００１０】
本願発明は、カバー板をベース材に取り付ける（離脱不能に保持する）手段として嵌め込み方式を採用しているため、ファスナー等の固定手段は必ずしも必要はない。特に、実施形態のように押さえバーがカバー板とベース材とに貫通した構造の場合は、押さえバーがカバー板の抜け止めを果たすために、特別の固定手段を設ける必要がない利点がある。他方、ベース材は板状でも良いしフレーム状でも良い。
【発明の効果】
【００１１】
本願発明では、通常の状態（扉を閉じた状態）で扉のベース材はカバー板に隠れて見えないため、ベース材は強度確保や他部材取付けの機能を確保すべく溶接や穴空け等の各種の加工を施しても差し支えない。すなわち、ベース材は強度メンバーとしての機能に特化してカバー板は美粧メンバーとしての機能に特化させることができ、これにより、強度低下や加工の容易性といった問題を招来することなく扉に高い美粧機能を保持せしめることができる。
【００１２】
また、本願発明では、ベース材はその左右端部と上端部とがカバー板の抱持片で覆われていると共に、下端面は把っ手で覆われているため、特に美粧機能に優れている。また、カバー板の左右端部と上端部とに抱持片が形成されているため、抱持片がリブ効果を発揮して扉全体として堅牢な構造になっている利点もある。
【００１３】
また、本願発明では、カバー板はベース材にその上端から嵌め込まれるようになっており、従って、ベース材に対するカバー板の装着を至極簡単にでき、しかも、カバー板の下端面は把っ手で覆われていて外側に露出していないため美観が悪化することはない。
【発明を実施するための最良の形態】
【００１４】
次に、本願発明の実施形態を図面に基づいて説明する。本実施形態はマガジンラック機能を有するキャビネットに適用している。図１はキャビネットの全体的な概略斜視図、図２は図１の II-II視概略断面図であり、まず、両図に基づいてキャビネットの概略を説明する。
【００１５】
(1).キャビネットの概略
キャビネットは、前向きに開口したキャビネット本体１と、キャビネット本体１の開口部に配置した上中下３段の扉２とを主要要素として構成されている。キャビネット本体１はスチール板製であり、左右外側板３と天板４と底板５と背板６とを有して直方体状になっており、かつ、内部には２段の棚板７が配置されている。従って、キャビネット本体１の内部は上中下３段の収納エリア８に区分されており、扉２は各収納エリア８に対応して配置されている。なお、キャビネット本体１の側板３の内面には補強板９が固着されており、棚板７は補強板９で支持されている。
【００１６】
扉２は正面視矩形で閉じた状態でキャビネット本体１の内部に入り込んでおり、かつ、側面視で鉛直線に対してやや後傾した姿勢になっている。上段及び下段の扉２の下端部は棚板７の前面に当たることで閉じ姿勢が保持されており、このため、棚板７の前面はキャビネット本体１の前面よりも奥側に入り込んでいる。また、キャビネット本体１における底板５の前部には、下段の扉２の下端部が入り込む下向き段部５ａが形成されている。
【００１７】
各扉２は、その上部を中心にして水平姿勢まで跳ね上げ回動させることができ、かつ、水平姿勢にするとその大部分をキャビネット本体１の内部に押し込み収納することができる。このため、各扉２の上端寄り部位の裏面にはそれぞれ左右スライダー１０がヒンジ装置（後述）を介して取付けられており、かつ、キャビネット本体１の左右内側面には、スライダー１０が前後スライド自在に嵌合したガイドレール１１が装着されている。従って、本実施形態では、スライダー１０とガイドレール１１とはそれぞれ請求項に記載したスライド手段の一環を成している。
【００１８】
各扉２の下端には、開閉に際しての引手機能と閉じた状態で雑誌類やカタログ類の支持機能を有する板状の把っ手１２が固定されている。把っ手１２は扉２の左右略全長にわたって延びている。また、各扉２には、雑誌類やカタログ類が脱落したり飛んだりしないように保持する押さえバー１３が配置されている。押さえバー１３は線材製であり、扉２の略中間高さ部位において左右に長く延びている。
【００１９】
(2).扉の詳細
次に、図３以下の図面を参照して扉２の詳細を説明する。図３は一部破断分離斜視図、図４のうち（Ａ）は部分的な正面図、（Ｂ）は（Ａ）のＢ−Ｂ視断面図、図５は端部の背面図、図６のうち（Ａ）は図５のVIA-VIA 視断面図、（Ｂ）は図５のVIB-VIB 視断面図、図７のうち（Ａ）は扉２の端部の部分的な一部破断背面図、（Ｂ）は（Ａ）のＢ−Ｂ視断面図、（Ｃ）は（Ａ）のＣ−Ｃ視断面図である。以下の説明では、方向を特定するために「上」「下」「左」「右」「前」「裏」の文言を使用するが、これらの文言は、扉２を閉じた状態を基準にしている（従って、水平姿勢を基準にすると上下は前後に置き換わる。）。
【００２０】
例えば図３から容易に理解できるように、扉２は、基本的構成要素として矩形のベース材１５とその前面を覆う矩形のカバー板１６とを備えており、ベース材１５に既述の把っ手１２と押さえバー１３とが取付けられている。ベース材１５は未塗装（美粧未処理）の鋼板（鉄板）からなっていてそれ自体で扉２としての機能を発揮し得る形態（大きさ）であり、下端にはロア折り返し部１７が折り曲げ形成され、左右両端にはサイド折り返し部１８が形成され、上端にはアッパー折り返し部１９が形成されている。
【００２１】
サイド折り返し部１８とアッパー折り返し部１９とはベース材１５の基部からＬ型に折り曲げられただけであり、また、アッパー折り返し部１９の突出寸法はサイド折り返し部１８の突出寸法よりも小さい寸法になっている。他方、ロア折り返し部１７は、下片１７ａとその先端から立ち上がったリップ片１７ｂとを有している。また、ロア折り返し部１７における下片１７ａの突出寸法は、基本的にはサイド折り返し部１８の突出寸法よりも大きくなっているが、下片１７ａの左右側部の若干の範囲は、サイド折り返し部１８と同じ突出寸法に揃えられた切除部１７ａ′になっている。
【００２２】
他方、カバー板１６は亜鉛メッキ鋼板のようなカラー鋼板を素材としており、その基部はベース材１５の前面を完全に覆う大きさであり、左右側端にはベース材１５のサイド折り返し部１８を覆うサイド抱持片２０が折り曲げ形成されており、上端には、ベース材１５のアッパー折り返し部１９を覆うアッパー抱持片２１が折り曲げ形成されている。サイド抱持片２０及びアッパー抱持片２１はそれ自体がＬ形の形態である一方、カバー板１６の下端は切り揃えられており、このため、カバー板１６をサイド折り返し部１８に上方から嵌め込むことができる。
【００２３】
ベース材１５のサイド折り返し部１８とカバー板１６のサイド抱持片２０とは、その前部においてリベット２２で固着されている。このため、ベース材１５のサイド折り返し部１８とカバー板１６のサイド抱持片２０とには、リベット２２を嵌める穴２３が空いている。また、ベース材１５及びカバー板１６の左右両端寄り部位には、押さえバー１３を取り付けるための貫通穴２４が空いており、かつ、ベース材１５のサイド折り返し部１８とカバー板１６のサイド抱持片２０とには、貫通穴２４と略同じ高さ位置に位置した窓穴２５が空いている。貫通穴２４と窓穴２５とは上下長手の長穴になっている（その意義は後述する。）。
【００２４】
把っ手１２は鋼板やカラー鋼を素材とした板金製品やアルミ押し出し加工品であり、図３や図７（Ｂ）に示すように、ベース材１５の下面（ロア折り返し部１７の下面）に重なった状態でカバー板１６の手前に突出しており、前端縁には断面円筒形の指掛け部１２ａが曲げ形成されている。また、把っ手１２の後端縁には、ベース材１５のロア折り返し部１７を抱き込む抱持部２７が曲げ形成されている。抱持部２７は、起立片２７ａとその上端から手前に延びる上リップ２７ｂとを有して下向き開口の樋状に形成されており、図３に示すように、起立片２７ａと上リップ２７ｂとの左右端部は切欠かれている。
【００２５】
図３及び図７（Ａ）（Ｂ）に示すように、把っ手１２における抱持部２７の起立片２７ａの左右両端寄り部位に、棚板７の前面に当たるクッション材２８を取付けている。カバー板１６は、スポット溶接によってベース材１５に固着されている。この場合、溶接に起因した美観悪化防止のため、ベース材１５におけるロア折り返し部１７のリップ片１７ｂとカバー板１６における抱持部２７の起立片２７ａとを溶接するのが好ましい。
【００２６】
図３に示すように、押さえバー１３は、カバー板１６の前面に重なる左右横長の基部１３ａと、その左右両端に折り曲げ形成した下向きの足部１３ｂと、足部１３ｂの下端から奥側に向けて延びる取付け部１３ｃとを有しており、取付け部１３ｃがカバー板１６及びベース材１５の貫通穴２４に挿通されていると共に、足部１３ｂと取付け部１３ｃとは側面視でＬ形の形態を成している。
【００２７】
そして、図７（Ａ）に示すように、ベース材１５の裏面のうち貫通穴２４の箇所には、後ろ向き支持片２９ａを有するブラケット板２９が溶接によって固着されており、押さえバー１３における取付け部１３ｃの先端寄り部位が左右横長の割りピン３０によって連結されている。従って、押さえバー１３は、割りピン３０を中心にして前後に回動させることができる。
【００２８】
この場合、足部１３ｂの下端はカバー板１６から離れており、このため、押さえバー１３の基部１３ａがカバー板１６に当たった状態では、足部１３ｂはカバー板１６に対して側面視で傾斜している。押さえバー１３を手前に回動させると、押さえバー１３の基部１３ａとカバー板１６との間の間隔が開いて、雑誌類やカタログ類等の展示物を出し入れすることができる。
【００２９】
そして、押さえバー１３の回動を許容するために貫通穴２４は上下長手の長穴になっており、かつ、ベース材１５のサイド折り返し部１８とカバー板１６のサイド抱持片２０とには、割りピン３０の差し込みを許容するために既述の窓穴２５が空いている。
【００３０】
押さえバー１３における取付け部１３ｃの先端部（後端部）は扁平状に潰されており、取付け部１３ｃの先端部と把っ手１２における抱持部２７の上リップ２７とに引っ張りばね３１が連結されている。従って、押さえバー１３はばね３１によって基部１３ａがカバー板１６に当たる状態に付勢されており、また、ばね３１に抗して手前に回動させることで展示物を抜き差しできる。
【００３１】
図４〜６に示すように、ベース材１５の上部内面には鋼板製で左右横長の補強枠３２が溶接によって固着されており、この補強枠３２にヒンジ装置３２を固着し、ヒンジ装置３２に既述のスライダー１０を固定している。敢えて述べるまでもないが、ヒンジ装置３２はヒンジピン３２ａで連結された２つのフラップ３２ｂ，３２ｃを有しており、一方のフラップ３２ｂが補強枠３２にビスで固定されている。なお、ヒンジ装置３２とスライダー１０とを一体化することも可能である。
【００３２】
(3).まとめ・他
既述のとおり、ベース材１５のうち通常の状態で人の目に見える部分はカバー板１６と把っ手１２とで覆われているため、ベース材１５の加工や組立に当たって美観を考慮する必要はなく、このため加工や組立の能率アップを図ることができる。なお、カバー板１６はさほどの強度は必要ないので、例えば０．６ｍｍ程度の板厚があれば足りる。
【００３３】
本実施形態では、扉２の組立においては、ベース材１５への補強枠３２及びブラケット板２９並びに把っ手１２の固着→カバー板１６の取付け→押さえバー１３の取付け→ばね３１の取付け、という手順を踏むことになるが、この場合、ばね３１の一端を把っ手１２における抱持部２７の上リップ２７ｂに引っ掛ける構成を採用すると共に、ベース材１５のロア折り返し部１７に切除部１７ａ′を形成しておくと、ばね３１の引っ掛け作業を楽に行える利点がある。
【００３４】
押さえバー１３を本実施形態のように回動式にする場合、押さえバー１３を回動自在に支持するためのブラケット片をベース材１５に切り起こし形成することも可能である。また、付勢用のばねとしてはねじりばねを使用することも可能である。また、ベース材１５に大きなくり抜き穴を形成することで軽量化を図ることも可能であり、或いは、ベース材１５を骨組みのみ有するフレーム構造とすることも可能である。また、把っ手とベース材１５又はカバー板１６とをリベット等のファスナで固定することも可能である。
【図面の簡単な説明】
【００３５】
【図１】実施形態に係るキャビネットの全体的な概略斜視図である。
【図２】図１の II-II視概略断面図である。
【図３】扉の一部破断分離斜視図である。
【図４】（Ａ）は扉の部分的な正面図、（Ｂ）は（Ａ）のＢ−Ｂ視断面図である。
【図５】扉の端部の背面図である。
【図６】（Ａ）図５のVIA-VIA 視断面図、（Ｂ）は図５のVIB-VIB 視断面図である。
【図７】（Ａ）は扉２の端部の分的な一部破断背面図、（Ｂ）は（Ａ）のＢ−Ｂ視断面図、（Ｃ）は（Ａ）のＣ−Ｃ視断面図である。
【符号の説明】
【００３６】
１  キャビネット本体
２  扉
７  棚板
８  収納エリア
１０  スライダー
１１  ガイドレール
１２  把っ手
１３  押さえバー
１５  ベース材
１６  カバー板
２０  サイド抱持片
２１  アッパー抱持片
【図１】
0005026889.tif 000002
【図２】
0005026889.tif 000003
【図３】
0005026889.tif 000004
【図４】
0005026889.tif 000005
【図５】
0005026889.tif 000006
【図６】
0005026889.tif 000007
【図７】
0005026889.tif 000008